(57)【要約】【課題】苗載置部の仕切部として幅広な構造を採用しても、その仕切部の強度低下を避けられるようにするとともに、苗載せ台自体の厚みの増加に伴う大きな重量増加を避けられるようにする。【解決手段】左右方向での中央箇所に位置する中央仕切部５５Ａと、中央仕切部５５Ａよりも左右方向での端部寄りの箇所に位置する端部寄り仕切部５５Ｂと、を備え、中央仕切部５５Ａは、端部寄り仕切部５５Ｂよりも左右方向での幅が広く形成され、かつ左右方向に沿う補強リブ５６が、中央仕切部５５Ａの背面側における上下方向での複数箇所に形成されている。【選択図】図５
2017099336.tif 000002
【特許請求の範囲】
【請求項１】
苗植付機構の植付爪で分割取り出し可能な一条分の苗が載置される苗載置部を左右方向での複数箇所に備え、
前記苗載置部は、苗載置用の苗載置面と、その苗載置面から離れる側へ突出して左右の前記苗載置面同士を区画する仕切部と、を備え、
前記仕切部は、左右方向での中央箇所に位置する中央仕切部と、前記中央仕切部よりも左右方向での端部寄りの箇所に位置する端部寄り仕切部と、を備え、
前記中央仕切部は、前記端部寄り仕切部よりも左右方向での幅が広く形成され、かつ左右方向に沿う補強リブが、前記中央仕切部の背面側における上下方向での複数箇所に形成されている苗載せ台。
【請求項２】
苗植付機構の植付爪で分割取り出し可能な一条分の苗が載置される苗載置部を左右方向での複数箇所に備え、
前記苗載置部は、苗載置用の苗載置面と、その苗載置面から離れる側へ突出して左右の前記苗載置面同士を区画する仕切部と、を備え、
前記仕切部は、左右方向での中央箇所に位置する中央仕切部と、前記中央仕切部よりも左右方向での端部寄りの箇所に位置する端部寄り仕切部と、を備え、
前記中央仕切部は、前記端部寄り仕切部よりも左右方向での幅が広く形成され、かつ上下方向に沿う補強リブが、前記中央仕切部の背面側における左右方向での複数箇所に形成されている苗載せ台。
【請求項３】
前記補強リブが、前記中央仕切部の突出方向の頂部よりも背面側へ膨出する凹溝状に形成されている請求項２記載の苗載せ台。
【請求項４】
苗植付機構の植付爪で分割取り出し可能な一条分の苗が載置される苗載置部を左右方向での複数箇所に備え、
前記苗載置部は、苗載置用の苗載置面と、その苗載置面から離れる側へ突出して左右の前記苗載置面同士を区画する仕切部と、を備え、
前記仕切部は、左右方向での中央箇所に位置する中央仕切部と、前記中央仕切部よりも左右方向での端部寄りの箇所に位置する端部寄り仕切部と、を備え、
前記中央仕切部は、前記端部寄り仕切部よりも左右方向での幅が広く形成されているとともに、前記中央仕切部の背面側における左右方向での複数箇所に、上下方向に沿う補強リブが形成され、かつ前記中央仕切部の背面側における上下方向での複数箇所に、左右方向に沿う補強リブが形成されている苗載せ台。
【請求項５】
前記補強リブのうち、上下方向に沿う補強リブが前記中央仕切部の突出方向の頂部よりも背面側へ膨出する凹溝状に形成された縦リブ部によって構成され、左右方向に沿う補強リブが前記縦リブ部に交差する板状の横リブ部によって構成されている請求項４記載の苗載せ台。
【請求項６】
前記縦リブ部が複数本形成され、前記横リブ部が複数本の前記縦リブ部にわたって形成されている請求項５記載の苗載せ台。
【請求項７】
苗植付機構の植付爪で分割取り出し可能な一条分の苗が載置される苗載置部を左右方向での複数箇所に備え、
前記苗載置部は、苗載置用の苗載置面と、その苗載置面から離れる側へ突出して左右の前記苗載置面同士を区画する仕切部と、を備え、
前記仕切部は、左右方向での中央箇所に位置する中央仕切部と、前記中央仕切部よりも左右方向での端部寄りの箇所に位置する端部寄り仕切部と、を備え、
前記中央仕切部は、前記端部寄り仕切部よりも左右方向での幅が広く形成され、かつ前後方向視で放射方向に沿う補強リブが前記中央仕切部の背面側に形成されている苗載せ台。
【請求項８】
前記補強リブは、前記苗載せ台に載置された苗の前記苗載置面からの浮き上がりを抑制するための苗ステーを、前記苗載せ台に支持させる苗ステー取付部のボス部周辺に設けられている請求項７記載の苗載せ台。
【請求項９】
苗植付機構の植付爪で分割取り出し可能な一条分の苗が載置される苗載置部を左右方向での複数箇所に備え、
前記苗載置部は、苗載置用の苗載置面と、その苗載置面から離れる側へ突出して左右の前記苗載置面同士を区画する仕切部と、を備え、
前記仕切部は、左右方向での中央箇所に位置する中央仕切部と、前記中央仕切部よりも左右方向での端部寄りの箇所に位置する端部寄り仕切部と、を備え、
前記中央仕切部は、左右方向での幅が前記端部寄り仕切部よりも広く形成され、
前記苗載せ台は、前記苗載置部の上端部に、その苗載置部における苗載置面の背面側に向けて屈曲形成された折れ曲がり上片部を備え、
前記折れ曲がり上片部の下面側と前記苗載置面の背面側とにわたって補強用のコーナーリブが設けられている苗載せ台。
【請求項１０】
前記苗載せ台は、その背面側に、前記苗載置部の上端よりも上方側へ延長させた延長姿勢と、前記延長姿勢よりも低く位置させた非延長姿勢とに姿勢変更可能な延長苗載せ台を備え、
前記延長苗載せ台は、前記苗載置部の背面側に沿って上下方向で位置変更可能に構成され、
前記苗載置部の背面側に、前記延長姿勢の前記延長苗載せ台の下部と係合して、前記延長苗載せ台の上下方向移動を規制する位置決め金具が設けられている請求項９記載の苗載せ台。
【請求項１１】
前記苗載置部に、その苗載置部の苗載置面に搭載された苗を縦送りする苗縦送りベルトと、前記苗載置面に搭載された苗の上面側に対向する位置で前記苗載置面から離れる側への苗の浮き上がりを規制する苗抑え杆部分を備えた苗ステーと、が備えられ、
前記苗抑え杆部分は、前記苗縦送りベルトの存在箇所から左右方向で外れた位置に設けられている請求項１〜１０のいずれか一項記載の苗載せ台。
【発明の詳細な説明】
【技術分野】
【０００１】
本発明は、苗植付機構の植付爪で分割取り出し可能な一条分の苗が載置される苗載置部を左右方向での複数箇所に備えた苗載せ台に関する。
【背景技術】
【０００２】
従来の苗載せ台では、標準的な条間を得られるにように設定されている苗載置部の仕切部に、所定の横幅のスペーサを介在させることによって、標準よりも大きい条間を有した苗載せ台を得られるようにしたものがある（特許文献１参照）。
また、従来の苗載せ台では、苗載せ台の横移動を案内するガイドレールよりも上方側における苗載せ台の上端部近くに、苗載せ台の上部を補強するように左右方向に沿って配設された補強フレームを備えていた（特許文献２参照）。
また、従来の苗載せ台では、苗縦送り用の縦送りベルトの搬送面に対向する位置で載置苗の浮き上がりを抑えるように、苗押さえ杆部分が備えられた苗ステーを設けていた（特許文献３参照）。
【先行技術文献】
【特許文献】
【０００３】
【特許文献１】特許第３３３５８２７号公報（段落〔００１１〕，〔００１５〕、図３，４）
【特許文献２】特開平８−２３８００６号公報（段落〔００２５〕、図３，４）
【特許文献３】特開平８−２３８００６号公報（段落〔００２７〕、図２，１２）
【発明の概要】
【発明が解決しようとする課題】
【０００４】
特許文献１に記載された構造のものでは、スペーサの利用によって標準よりも大きい条間を有した苗載せ台を得られる点では有用なものであるが、苗載置部の仕切部が分割され、苗押さえ杆部分を備えた苗ステーの取付用フランジ部を利用して固定するものであった。このため、苗載せ台自体やスペーサ、及び苗ステーの取付用フランジ部として、その厚みが増大された強固な構造を採用するなどの必要があり、その結果、全体重量が増加するなどの問題が生じる虞があって、この点で改善の余地がある。
特許文献２に記載された構造のものでは、苗載せ台の上部を補強するための部材として、苗載せ台の上端部近くに補強フレームが設けられていたので、苗載せ台の上端部近くにおける部品点数が増し、コストの低減を図りにくい点で改善の余地がある。
特許文献３に記載された構造のものでは、苗ステーの苗押さえ杆部分が、苗縦送り用の縦送りベルトの搬送面に対向する位置に設けられていたので、搬送ベルトから離れる側への載置苗の浮き上がりを抑制して、縦送りベルトによる搬送力を載置苗に伝え易いものである。しかし、その反面で、縦送りベルトの搬送面に対向する位置に存在する苗押さえ杆部分が邪魔になって、軟弱な苗であると、苗載置部への苗の補給が行い難くなる傾向がある点で改善の余地がある。
【０００５】
本発明は、苗載置部の仕切部として幅広な構造を採用しても、その仕切部の強度低下を避けられるようにするとともに、苗載せ台自体の厚みの増加に伴う大きな重量増加を避けられるようにしようとするものである。
また、本発明は、苗載せ台の上端部構造を工夫して、苗載せ台上端部での部品点数の削減を図りながら、苗載せ台全体の強度低下を避けられるようにしようとするものである。
また、本発明は、苗載せ台に備える苗ステーと苗縦送りベルトとの位置関係を工夫して、苗載せ台に対する軟弱苗の補給を行い易くしながら、縦送り性能も確保し得るようにしようとするものである。
【課題を解決するための手段】
【０００６】
本発明における苗載せ台の特徴は、苗植付機構の植付爪で分割取り出し可能な一条分の苗が載置される苗載置部を左右方向での複数箇所に備え、前記苗載置部は、苗載置用の苗載置面と、その苗載置面から離れる側へ突出して左右の前記苗載置面同士を区画する仕切部と、を備え、前記仕切部は、左右方向での中央箇所に位置する中央仕切部と、前記中央仕切部よりも左右方向での端部寄りの箇所に位置する端部寄り仕切部と、を備え、前記中央仕切部は、前記端部寄り仕切部よりも左右方向での幅が広く形成され、かつ左右方向に沿う補強リブが、前記中央仕切部の背面側における上下方向での複数箇所に形成されていることである。
【０００７】
本発明によれば、中央仕切部を端部寄り仕切部よりも左右方向で幅広に形成することにより、この中央仕切部を跨ぐ箇所における条間を、標準的な条間よりも広く形成することができる。
したがって、苗載せ台が歩行型田植機に用いられる場合には、幅広の条間部分を作業者が歩行し易くなる。また、苗載せ台が乗用型田植機に用いられる場合には、幅広の条間部分を存在させて日当たりを良くするなどの生育環境の調整を行うことができる。
しかも、このように中央仕切部を跨ぐ箇所における条間を広くするにあたって仕切部の幅を広くしても、その仕切部を、上下方向での複数箇所に形成された左右方向に沿う補強リブで補強することができる。したがって、苗載せ台全体の重量増加を抑制しながら苗載せ台全体の強度低下を避けられる利点がある。
【０００８】
本発明における苗載せ台の特徴は、苗植付機構の植付爪で分割取り出し可能な一条分の苗が載置される苗載置部を左右方向での複数箇所に備え、前記苗載置部は、苗載置用の苗載置面と、その苗載置面から離れる側へ突出して左右の前記苗載置面同士を区画する仕切部と、を備え、前記仕切部は、左右方向での中央箇所に位置する中央仕切部と、前記中央仕切部よりも左右方向での端部寄りの箇所に位置する端部寄り仕切部と、を備え、前記中央仕切部は、前記端部寄り仕切部よりも左右方向での幅が広く形成され、かつ上下方向に沿う補強リブが、前記中央仕切部の背面側における左右方向での複数箇所に形成されていることである。
【０００９】
本発明によれば、中央仕切部を端部寄り仕切部よりも左右方向で幅広に形成することにより、この中央仕切部を跨ぐ箇所における条間を、標準的な条間よりも広く形成することができる。
したがって、苗載せ台が歩行型田植機に用いられる場合には、幅広の条間部分を作業者が歩行し易くなる。また、苗載せ台が乗用型田植機に用いられる場合には、幅広の条間部分を存在させて日当たりを良くするなどの生育環境の調整を行うことができる。
しかも、このように中央仕切部を跨ぐ箇所における条間を広くするにあたって仕切部の幅を広くしても、その仕切部を、左右方向での複数箇所に形成された上下方向に沿う補強リブで補強することができる。したがって、苗載せ台全体の重量増加を抑制しながら苗載せ台全体の強度低下を避けられる利点がある。
【００１０】
本発明においては、前記補強リブが、前記中央仕切部の突出方向の頂部よりも背面側へ膨出する凹溝状に形成されていると好適である。
【００１１】
本構成を備えることで、補強リブが中央仕切部の突出方向でさらに苗載置面から離れる側へ突出することを避けながら所要強度の補強リブを形成することができる。
したがって、苗載せ台全体を構成する際に、中央仕切部の突出方向での厚みが大きくなりすぎる傾向を抑えながら、補強リブによる強度向上を図り得るものである。
【００１２】
本発明における苗載せ台の特徴は、苗植付機構の植付爪で分割取り出し可能な一条分の苗が載置される苗載置部を左右方向での複数箇所に備え、前記苗載置部は、苗載置用の苗載置面と、その苗載置面から離れる側へ突出して左右の前記苗載置面同士を区画する仕切部と、を備え、前記仕切部は、左右方向での中央箇所に位置する中央仕切部と、前記中央仕切部よりも左右方向での端部寄りの箇所に位置する端部寄り仕切部と、を備え、前記中央仕切部は、前記端部寄り仕切部よりも左右方向での幅が広く形成されているとともに、前記中央仕切部の背面側における左右方向での複数箇所に、上下方向に沿う補強リブが形成され、かつ前記中央仕切部の背面側における上下方向での複数箇所に、左右方向に沿う補強リブが形成されていることである。
【００１３】
本発明によれば、中央仕切部を端部寄り仕切部よりも左右方向で幅広に形成することにより、この中央仕切部を跨ぐ箇所における条間を、標準的な条間よりも広く形成することができる。
したがって、苗載せ台が歩行型田植機に用いられる場合には、幅広の条間部分を作業者が歩行し易くなる。また、苗載せ台が乗用型田植機に用いられる場合には、幅広の条間部分を存在させて日当たりを良くするなどの生育環境の調整を行うことができる。
しかも、このように中央仕切部を跨ぐ箇所における条間を広くするにあたって仕切部の幅を広くしても、その仕切部を、上下方向に沿う補強リブと左右方向に沿う補強リブとで補強することができる。したがって、苗載せ台全体の重量増加を抑制しながら苗載せ台全体の強度低下を避けられる利点がある。
【００１４】
本発明においては、前記補強リブのうち、上下方向に沿う補強リブが前記中央仕切部の突出方向の頂部よりも背面側へ膨出する凹溝状に形成された縦リブ部によって構成され、左右方向に沿う補強リブが前記縦リブ部に交差する板状の横リブ部によって構成されていると好適である。
【００１５】
本構成を備えることで、凹溝状に形成された縦リブ部の存在により、中央仕切部の突出方向での厚みが大きくなりすぎる傾向を抑えながら、その縦リブ部に交差する板状の横リブ部によって、さらに補強リブ全体の強度を向上させることができる。
【００１６】
本発明においては、前記縦リブ部が複数本形成され、前記横リブ部が複数本の前記縦リブ部にわたって形成されていると好適である。
【００１７】
本構成を備えることで、凹溝状に形成された縦リブ部の存在により、中央仕切部の突出方向での厚みが大きくなりすぎる傾向を抑えながら、その縦リブ部に交差する板状の横リブ部によって縦リブ部同士が連結され、補強リブが格子状に形成されることで、より一層、補強リブ全体の強度を向上させることができる。
【００１８】
本発明における苗載せ台の特徴は、苗植付機構の植付爪で分割取り出し可能な一条分の苗が載置される苗載置部を左右方向での複数箇所に備え、前記苗載置部は、苗載置用の苗載置面と、その苗載置面から離れる側へ突出して左右の前記苗載置面同士を区画する仕切部と、を備え、前記仕切部は、左右方向での中央箇所に位置する中央仕切部と、前記中央仕切部よりも左右方向での端部寄りの箇所に位置する端部寄り仕切部と、を備え、前記中央仕切部は、前記端部寄り仕切部よりも左右方向での幅が広く形成され、かつ前後方向視で放射方向に沿う補強リブが前記中央仕切部の背面側に形成されていることである。
【００１９】
本発明によれば、中央仕切部を端部寄り仕切部よりも左右方向で幅広に形成することにより、この中央仕切部を跨ぐ箇所における条間を、標準的な条間よりも広く形成することができる。
したがって、苗載せ台が歩行型田植機に用いられる場合には、幅広の条間部分を作業者が歩行し易くなる。また、苗載せ台が乗用型田植機に用いられる場合には、幅広の条間部分を存在させて日当たりを良くするなどの生育環境の調整を行うことができる。
しかも、このように中央仕切部を跨ぐ箇所における条間を広くするにあたって仕切部の幅を広くしても、その仕切部を、前後方向視で放射方向に沿う補強リブで補強することができる。したがって、苗載せ台全体の重量増加を抑制しながら苗載せ台全体の強度低下を避けられる利点がある。
【００２０】
本発明においては、前記補強リブは、前記苗載せ台に載置された苗の前記苗載置面からの浮き上がりを抑制するための苗ステーを、前記苗載せ台に支持させる苗ステー取付部のボス部周辺に設けられていると好適である。
【００２１】
本構成を備えることで、補強リブが中央仕切部の補強と、苗ステー取付部のボス部の補強とを兼ねることができ、部材の兼用によるより一層の軽量化やコスト低下を図ることができる。
【００２２】
本発明における苗載せ台の特徴は、苗植付機構の植付爪で分割取り出し可能な一条分の苗が載置される苗載置部を左右方向での複数箇所に備え、前記苗載置部は、苗載置用の苗載置面と、その苗載置面から離れる側へ突出して左右の前記苗載置面同士を区画する仕切部と、を備え、前記仕切部は、左右方向での中央箇所に位置する中央仕切部と、前記中央仕切部よりも左右方向での端部寄りの箇所に位置する端部寄り仕切部と、を備え、前記中央仕切部は、左右方向での幅が前記端部寄り仕切部よりも広く形成され、前記苗載せ台は、前記苗載置部の上端部に、その苗載置部における苗載置面の背面側に向けて屈曲形成された折れ曲がり上片部を備え、前記折れ曲がり上片部の下面側と前記苗載置面の背面側とにわたって補強用のコーナーリブが設けられていることである。
【００２３】
本発明によれば、中央仕切部を端部寄り仕切部よりも左右方向で幅広に形成することにより、この中央仕切部を跨ぐ箇所における条間を、標準的な条間よりも広く形成することができる。
したがって、苗載せ台が歩行型田植機に用いられる場合には、幅広の条間部分を作業者が歩行し易くなる。また、苗載せ台が乗用型田植機に用いられる場合には、幅広の条間部分を存在させて日当たりを良くするなどの生育環境の調整を行うことができる。
また、苗載置部における苗載置面の背面側に向けて屈曲形成された折れ曲がり上片部を備え、その折れ曲がり上片部の下面側と苗載置面の背面側とにわたって補強用のコーナーリブが設けられているので、苗載せ台の上端部付近を、別途補強フレームを用いて補強する構造のものに比べ、より軽量で部品点数少なく構成することができる利点がある。
【００２４】
本発明においては、前記苗載せ台は、その背面側に、前記苗載置部の上端よりも上方側へ延長させた延長姿勢と、前記延長姿勢よりも低く位置させた非延長姿勢とに姿勢変更可能な延長苗載せ台を備え、前記延長苗載せ台は、前記苗載置部の背面側に沿って上下方向で位置変更可能に構成され、前記苗載置部の背面側に、前記延長姿勢の前記延長苗載せ台の下部と係合して、前記延長苗載せ台の上下方向移動を規制する位置決め金具が設けられていると好適である。
【００２５】
本構成を備えることで、苗載せ台に対して延長苗載せ台の位置変更及び位置固定するための構造を簡素に構成し得る。
【００２６】
本発明においては、前記苗載置部に、その苗載置部の苗載置面に搭載された苗を縦送りする苗縦送りベルトと、前記苗載置面に搭載された苗の上面側に対向する位置で前記苗載置面から離れる側への苗の浮き上がりを規制する苗抑え杆部分を備えた苗ステーと、が備えられ、前記苗抑え杆部分は、前記苗縦送りベルトの存在箇所から左右方向で外れた位置に設けられていると好適である。
【００２７】
本構成を備えることで、苗抑え杆部分は、苗縦送りベルトの存在箇所から左右方向で外れた位置に存在しているので、その苗抑え杆部分による苗の浮き上がり規制の作用と、苗縦送りベルトによる苗縦送り性能を損なうことなく、苗縦送りベルトが存在する箇所への軟弱苗の補給をも比較的容易に行い易いものである。
【図面の簡単な説明】
【００２８】
【図１】歩行型田植機の全体側面図である。
【図２】歩行型田植機の平面図である。
【図３】苗植付装置の側面図である。
【図４】苗植付装置の正面図である。
【図５】苗載せ台の背面図である。
【図６】図５におけるVI-VI線断面図である。
【図７】図６におけるVII-VII線断面図である。
【図８】延長苗載せ台の上下移動を規制する位置決め金具の上下方向での断面図である。
【図９】別実施形態における中央仕切部の背面図である。
【図１０】別実施形態における中央仕切部の背面図である。
【図１１】別実施形態における中央仕切部の背面図である。
【図１２】別実施形態における中央仕切部の背面図である。
【発明を実施するための形態】
【００２９】
以下、本発明における実施形態の一例を図面の記載に基づいて説明する。
尚、本実施形態での説明における前後方向及び左右方向は、特段の説明がない限り、次のように記載している。つまり、本発明における苗載せ台を適用した歩行型田植機の作業走行時における前進側の進行方向（図２における矢印Ｆ参照）が「前」、後進側への進行方向（図２における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。
【００３０】
〔全体構成〕
歩行型田植機の全体構成について説明する。
図１及び図２に示すように、走行機体の前部における左右方向での中央位置にミッションケース１が備えられている。ミッションケース１の前部にエンジン支持台２が連結され、このエンジン支持台２にエンジン３が搭載支持されている。ミッションケース１の後部には、長手方向を前後方向に沿わせたパイプ状の機枠部材４の前部が連結されている。パイプ状の機枠部材４の後部に苗植付装置５及び操縦ハンドル６が連結されている。操縦ハンドル６は、走行機体の左右方向での中央位置を示す中心線ＣＬから左右等距離に振り分けられた状態で配置されている。
【００３１】
図１，２，３に示すように、ミッションケース１の右側及び左側にパイプ状の車輪駆動ケース７が装備されている。この右側及び左側の車輪駆動ケース７は、それぞれがミッションケース１に対して、左右方向に沿う横軸芯Ｐ１周りで上下に揺動自在に支持されて後向きに延出されている。左右の車輪駆動ケース７の各後端部には、それぞれ車輪８が回転自在に支持されている。
走行機体の下部では、機枠部材４及び苗植付装置５の下方に位置する状態でセンターフロート９が前後方向に沿って配置されている。そして、そのセンターフロート９の右側と左側とのそれぞれに所定間隔を隔ててサイドフロート１０が配置されている。
【００３２】
エンジン３の動力は、出力用伝動ベルト１２を介してミッションケース１内の変速機構（図示せず）に伝達されている。ミッションケース１から出力される動力は、右及び左の車輪駆動ケース７の内部の伝動軸（図示せず）を介して、右及び左の車輪８に伝達される。ミッションケース１から出力される動力は、機枠部材４の内部に備えた伝動軸（図示せず）を介して、苗植付装置５にも伝達されている。
【００３３】
〔苗植付装置〕
次に、苗植付装置５について詳述する。
図２乃至図４に示すように、苗植付装置５は、マット状苗を載置可能な４つの苗載置部５３を備えた苗載せ台５０と、その苗載せ台５０から、各苗載置部５３に存在する苗を所定量ずつ分割して取り出し、圃場に植え付ける４つの苗植付機構４０とを備えて、４条植型式に構成されている。
【００３４】
苗植付装置５は、左右方向での中央位置でセンターフロート９の上方に配置されたフィードケース１１を備えていて、このフィードケース１１内の伝動機構（図示せず）に、前記機枠部材４内の伝動軸からの動力が伝達される。
フィードケース１１に伝達された動力は、苗載せ台５０を左右方向で往復駆動させる横送り機構２０、及び苗載置部５３に載置されている各マット状苗を各別に後述する苗取り出し口５０ａ側へ送る縦送り機構３０、並びに植付爪４３を駆動する苗植付機構４０に対して分配供給される。
【００３５】
横送り機構２０は、図２に示すように、フィードケース１１から左右両側に突出する横送り操作杆２１を備えている。この横送り操作杆２１の両端部が苗載せ台５０の両端部に相対回転のみ可能に連結されていて、フィードケース１１に対する横送り操作杆２１の左右方向への相対移動に伴って苗載せ台５０が同方向に往復移動させられるように構成してある。
そして、この横送り操作杆２１は、苗載せ台５０が往復移動範囲の端部に至る毎に、所定角度だけ回転駆動されるように構成されている。この横送り操作杆２１の回転動作が、図１に示す連動杆２２を介して縦送り機構３０に伝達される。
【００３６】
縦送り機構３０は、各苗載置部５３の下部に苗縦送りベルト３１を備え、この苗縦送りベルト３１がマット状苗の底面に当接するように設けられている。苗縦送りベルト３１は、前記横送り操作杆２１の回転動作に連動する連動杆２２の押し引き作動に伴って、縦送り駆動軸３２が所定角度だけ回転駆動される。この苗縦送りベルト３１の回転駆動に伴って、マット状苗を所定量だけ、苗載せ台５０の下方に位置する苗取り出し口５０ａ側へ縦送り移動させることができる。
【００３７】
苗植付機構４０は、苗載置部５３に載置されているマット状苗を分割するための植付爪４３を装備した植付アーム４２を備えている。この植付アーム４２は、フィードケース１１から駆動力が伝達される右及び左の植付ケース４１の下部において、右及び左の植付ケース４１のそれぞれに対して左右両側に配備されている。
【００３８】
各植付アーム４２は、図３に示すように、植付爪４３の先端が閉ループ状の軌跡ｒ１を描いて作動し、植付爪４３が苗取り出し口５０ａと植付対象の圃場面との間で往復移動しながら苗を分割して圃場面に埋め込むように構成された周知の構造のものである。
そして、図４に示すように、左右方向における植付爪４３同士の配設間隔（植付条間に相当する）ａ１，ａ２のうち、左右方向での中央位置における植付爪４３同士の配設間隔ａ１を約３０ｃｍとし、それよりも左右方向での両端側寄り箇所における植付爪４３同士の配設間隔ａ２を約２５ｃｍとしている。つまり、中央位置における植付爪４３同士の配設間隔ａ１を、それよりも左右方向での両端側寄り箇所における植付爪４３同士の配設間隔ａ２よりも大きく設定している。
【００３９】
〔苗載せ台〕
図４及び図５に示すように、苗載せ台５０は、一条分のマット状苗を載置可能な苗載置部５３が左右方向に並ぶ状態で４箇所に備えられた苗載せ台主部５１と、その苗載せ台主部５１の上部背面側に備えられた延長苗載せ台５２とを備えている。苗載せ台主部５１は、４箇所の苗載置部５３の全体が合成樹脂材料の一体成型品で構成されている。
延長苗載せ台５２は各苗載置部５３の背面側に備えられた４個の櫛歯状スライド部材５２Ａで構成されている。そして各櫛歯状スライド部材５２Ａのそれぞれが、苗載置部５３の背面側に沿って、各別に上下方向で位置変更可能であるように、苗載せ台主部５１に対してスライド移動可能に装着されている。
【００４０】
苗載せ台主部５１における各苗載置部５３の左右方向幅ｃ１はすべて同一寸法に形成されている。各苗載置部５３は、苗載置用の苗載置面５４と、その苗載置面５４から離れる側へ突出して左右の苗載置面５４，５４同士を区画する仕切部５５とを備えている。
各苗載置面５４は、植付爪４３で分割取り出し可能な一条分のマット状苗を載置可能な面積を有し、苗載置面５４の下端部に植付爪４３が通過可能な苗取り出し口５０ａが形成されている。そして、各苗載置面５４の下部近くには、苗取り出し口５０ａよりも上方側箇所に、マット状苗の底面に当接する苗縦送りベルト３１を装備させるための開口部５０ｂが形成されており、この開口部５０ｂを通して苗載置面５４側に露出する苗縦送りベルト３１によって、マット状苗を下方の苗取り出し口５０ａ側へ送り出すことができるように構成されている。
【００４１】
仕切部５５は、図４及び図５に示すように、左右方向での中央箇所に位置する中央仕切部５５Ａと、その中央仕切部５５Ａよりも左右方向での端部寄りの箇所に位置する端部寄り仕切部５５Ｂとで構成されている。この仕切部５５のうち、中央仕切部５５Ａの左右方向での幅ｄ１が、端部寄り仕切部５５Ｂにおける左右方向での幅ｄ２よりも広く形成されている。
このように、中央仕切部５５Ａの左右方向での幅ｄ１が端部寄り仕切部５５Ｂにおける左右方向での幅ｄ２よりも広く形成されることにより、苗載せ台５０の左右方向での中央位置に近い箇所における苗載置部５３の中心位置同士の間隔ｂ１が、左右方向での端部位置に近い箇所における苗載置部５３の中心位置同士の間隔ｂ２よりも大きく設定されている。
具体的には、苗載置部５３の中央位置に近い箇所における前記間隔ｂ１が約３０ｃｍで、それよりも端部寄り箇所における前記間隔ｂ２が約２５ｃｍに設定されている。
これにより、走行機体の左右中心線ＣＬから左右等距離に振り分け配置されている操縦ハンドル６を把持する操縦者が、最も広い植付条間を歩行しながら機体を操縦することができる。
【００４２】
左右方向での幅ｄ１が広く形成された中央仕切部５５Ａは、図５乃至図７に示すように、その中央仕切部５５Ａの背面側に位置する状態で補強リブ５６が形成されている。
この補強リブ５６は、中央仕切部５５Ａの突出方向の頂部５５Ａａよりも背面側へ膨出する凹溝状に形成された縦リブ部５６ａと、その縦リブ部５６ａに交差する板状の横リブ部５６ｂとによって構成されている。縦リブ部５６ａは、中央仕切部５５Ａの左右方向の幅内で、長手方向を上下方向に沿わせた状態で２本形成されており、横リブ部５６ｂは、２本の縦リブ部５６ａ，５６ａにわたる状態で左右方向に沿って形成されている。これらの縦リブ部５６ａ，５６ａと横リブ部５６ｂは一体に形成され、中央仕切部５５Ａの突出方向の頂部５５Ａａよりも背面側に位置し、中央仕切部５５Ａの剛性を増すための補強リブ５６として機能する。
【００４３】
縦リブ部５６ａ，５６ａと横リブ部５６ｂの、前記突出方向（苗載置面５４から離れる方向）での寸法は次のように設定されている。つまり、図６及び図７に示されているように、縦リブ部５６ａの突出方向寸法ｈ２は、中央仕切部５５Ａの突出方向の頂部５５Ａａよりも背面側へ膨出する凹溝状のものであって、中央仕切部５５Ａの突出高さｈ１に対して、遙かに短い寸法に設定されているのに対して、横リブ部５６ｂの突出方向寸法ｈ３は、中央仕切部５５Ａの突出高さｈ１とほぼ同程度に長く形成されている。
また、横リブ部５６ｂの左右両側端は、その横リブ部５６ｂの各端部に対向する位置における中央仕切部５５Ａの左右両側の各側壁部５５Ａｂの内面側と一体に形成されている。これにより、中央仕切部５５Ａの左右両側の側壁部５５Ａｂが横リブ部５６ｂで接続された状態となり、中央仕切部５５Ａの全体としての剛性を増すことになる。
【００４４】
図５及び図６に示されているように、中央仕切部５５Ａの下部には、後述する苗ステー３３の縦支持杆３３ｃを挿入した状態で取付可能なボス部５６ｄ（苗ステー取付部に相当する）が設けられている。このボス部５６ｄは、左右の各側壁部５５Ａｂ，５５Ａｂの間で、かつ、中央仕切部５５Ａの長手方向における横リブ部５６ｂ同士の間に相当する箇所に設けられている。
そのボス部５６ｄの周辺部から、左右の各側壁部５５Ａｂ，５５Ａｂ、及び上下の横リブ部５６ｂ，５６ｂに向かうように、ボス部５６ｄの軸線方向視（前後方向視に相当する）で放射方向に沿う放射状リブ部５６ｃ（苗ステー取付部に相当する）が延出されている。これにより、ボス部５６ｄが左右の側壁部５５Ａｂ、及び上下の横リブ部５６ｂによって強固に支持されるとともに、中央仕切部５５Ａの下部が、前記ボス部５６ｄ、左右の側壁部５５Ａｂ、及び上下の横リブ部５６ｂによって補強された状態となる。
【００４５】
左右方向での幅ｄ２が中央仕切部５５Ａよりも狭く形成されている端部寄り仕切部５５Ｂでは、中央仕切部５５Ａに設けられたような縦リブ部５６ａに相当する補強リブが備えられておらず、図５に示すような横リブ部５６ｂが、中央仕切部５５Ａと同様に、上下方向での複数箇所に設けられている。
このように端部寄り仕切部５５Ｂで縦リブ部５６ａが省略されているのは、端部寄り仕切部５５Ｂの左右方向幅ｄ２が、中央仕切部５５Ａの左右方向幅ｄ１に比べて十分に小さい（１／５程度）ものであるため、横リブ部５６ｂで左右の側壁部５５Ｂｂ同士を接続することで、所要の強度を確保し易いことによる。
【００４６】
この端部寄り仕切部５５Ｂにも、後述する苗ステー３３の縦支持杆３３ｃを挿入した状態で取付可能なボス部５６ｄ（苗ステー取付部に相当する）が設けられている。このボス部５６ｄは、左右の各側壁部５５Ｂｂ，５５Ｂｂの間で、かつ、端部寄り仕切部５５Ｂの長手方向における横リブ部５６ｂ同士の間に相当する箇所に設けられている。
そして、この端部寄り仕切部５５Ｂの下部に設けられたボス部５６ｄの周部には、中央仕切部５５Ａのような放射状リブ部５６ｃではなく、ボス部５６ｄの周部と、端部寄り仕切部５５Ｂの長手方向における上下の横リブ部５６ｂとにわたる板状リブ５６ｅ（苗ステー取付部に相当する）が設けられている。
【００４７】
各苗載置部５３には、図３及び４に示すように、苗載置部５３に載置されたマット状苗の浮き上がりを抑制するための苗ステー３３が設けられている。
この苗ステー３３は、各苗載置部５３の苗載置面５４との間に所定間隔を隔てて対向する状態で、苗載置面５４に沿い、苗縦送り方向に長手方向を沿わせた複数本の杆状の苗抑え杆部分３３ａを備えている。その複数本の苗抑え杆部分３３ａは、苗載せ台５０の左右方向での全幅にわたる横支持杆３３ｂに一端側を一体に取り付けられている。これにより、苗抑え杆部分３３ａは、横支持杆３３ｂの杆身に沿う軸心回りで遊端側を苗載置面５４から離れた起立姿勢と、苗載置面５４に沿う倒伏姿勢とに、姿勢切換操作を行うことが可能に構成されている。
【００４８】
また、横支持杆３３ｂは、その杆身方向の両端部と中央位置とで、苗載置面５４に対する遠近方向に沿う縦支持杆３３ｃによって苗載せ台５０に装着されている。図示はしないが、この縦支持杆３３ｃに対する横支持杆３３ｂの取付位置を、縦支持杆３３ｃの杆身方向で調節することにより、苗載置面５４と苗抑え杆部分３３ａとの間隔を調節できるように構成されている。
【００４９】
苗ステー３３は、縦支持杆３３ｃを介して、中央仕切部５５Ａの下部に形成されたボス部５６ｄと、左右両端部に位置する端部寄り仕切部５５Ｂの下部に形成されたボス部５６ｄとの三箇所で苗載せ台５０に固定されている。
そして、横支持杆３３ｂから苗載置面５４に沿って上方側へ延出された苗抑え杆部分３３ａは、苗縦送りベルト３１の存在箇所から左右方向で外れた位置で苗載置面５４と対向するように設けられている。つまり、各苗載置部５３には、それぞれ苗縦送りベルト３１が配設されているが、同一の苗載置部５３における苗縦送りベルト３１の左右方向幅よりも、苗抑え杆部分３３ａ同士の左右方向幅が少し広く設定されていて、左右の苗抑え杆部分３３ａが苗縦送りベルト３１の左右方向での外側に位置して、苗縦送りベルト３１が存在する箇所と対向する位置から外れた状態となるように配設されている。
このように、苗抑え杆部分３３ａが苗縦送りベルト３１の存在箇所から外れた状態となるように配設することにより、マット状苗が比較的軟弱なものである場合における苗補給を行い易くしている。このように、苗抑え杆部分３３ａが苗縦送りベルト３１の存在箇所から外れていれば、苗抑え杆部分３３ａが苗縦送りベルト３１の存在箇所に対向した位置にある場合よりも、軟弱苗が苗縦送りベルト３１や苗抑え杆部分３３ａと強く接触して崩壊する虞を少なくし易い。
【００５０】
図５及び図６に示すように、苗載せ台５０のうち、苗載せ台主部５１の上端部は、苗載置部５３における苗載置面５４の背面側に向けて折り曲げられた状態に屈曲形成されている。このように苗載せ台主部５１の上端部が屈曲形成されることによって、苗載置面５４の上端部に、背面側に向けて折り曲げられた折れ曲がり上片部５７が備えられる。この折れ曲がり上片部５７は、図１に示すように、苗植付装置５が通常の植付作業状態であるときに、ほぼ水平方向に沿う状態であるように形成されている。そして、苗載せ台主部５１における苗載置面５４の背面側と、折れ曲がり上片部５７の下面側とにわたって、側面視で三角形状である補強用のコーナーリブ５８が、左右方向での複数箇所に設けられている。
このように、苗載せ台主部５１の上端部に折れ曲がり上片部５７を形成し、かつ補強用のコーナーリブ５８を設けることで、苗載せ台主部５１の上端部全体に沿う長尺の補強用ビーム材等を付設することなく、軽量かつ簡単な構造で苗載せ台主部５１の所要強度を確保し易い。
【００５１】
図３乃至図６、及び図８に示すように、苗載せ台主部５１の上端部における背面側には、延長姿勢の延長苗載せ台５２の下部と係合して、延長苗載せ台５２の上下方向移動を規制する位置決め金具５９が設けられている。
すなわち、苗載せ台主部５１に対してスライド移動する延長苗載せ台５２を構成するところの櫛歯状スライド部材５２Ａが設けられているのであるが、この櫛歯状スライド部材５２Ａは、多数の棒状体の上端側のみが連結されることによって櫛歯状に形成されていて、個々の棒状体部分は、折れ曲がり上片部５７に形成されたガイド孔（図示せず）に挿通され、上下方向にスライド移動自在に構成されている。そして、棒状体部分のうち、左右方向での端部に位置する棒状体部分の下端部が左右方向に折り曲げられて棒状の係止部５２Ａａが形成されている。
【００５２】
前記位置決め金具５９には、前記係止部５２Ａａが係入する係合部５９ａを形成してある。したがって、苗載せ台主部５１に対して延長苗載せ台５２が現出されるようにスライド移動可能に櫛歯状スライド部材５２Ａを引き上げると、櫛歯状スライド部材５２Ａの係止部５２Ａａが位置決め金具５９の係合部５９ａに係合した状態で、その上下方向の移動が抑制される。
【００５３】
〔別実施形態の１〕
上記の実施形態では、苗載せ台５０として、４条植え型式の歩行型田植機に適用した構造のものを示したが、この構造に限られるものではなく、例えば、６条植え型式の歩行型田植機に適用したものであってもよい。
その他の構成は、前述した実施形態と同様の構成を採用すればよい。
【００５４】
〔別実施形態の２〕
上記の実施形態では、苗載せ台５０の中央仕切部５５Ａとして、複数本の縦リブ部５６ａと、複数の横リブ部５６ｂとを備えた構造のものを例示したが、この構造に限られるものではない。
例えば、図９に示したように、中央仕切部５５Ａとして、縦リブ部５６ａを備えずに複数本の横リブ部５６ｂを備えた構造のもので構成してもよい。
その他の構成は、前述した実施形態と同様の構成を採用すればよい。
【００５５】
〔別実施形態の３〕
上記の実施形態では、苗載せ台５０の中央仕切部５５Ａとして、複数本の縦リブ部５６ａと、複数の横リブ部５６ｂとを備えた構造のものを例示したが、この構造に限られるものではない。
例えば、図１０に示したように、中央仕切部５５Ａとして、横リブ部５６ｂを備えずに、一本もしくは複数本の縦リブ部５６ａを備えた構造のもので構成してもよい。
その他の構成は、前述した実施形態と同様の構成を採用すればよい。
【００５６】
〔別実施形態の４〕
上記の実施形態では、苗載せ台５０の中央仕切部５５Ａとして、複数本の縦リブ部５６ａと、複数の横リブ部５６ｂとを備えた構造のものを例示したが、この構造に限られるものではない。
例えば、図１１に示したように、中央仕切部５５Ａとして、一本の縦リブ部５６ａと複数本の横リブ部５６ｂとを備えた構造のもので構成してもよい。
その他の構成は、前述した実施形態と同様の構成を採用すればよい。
【００５７】
〔別実施形態の５〕
上記の実施形態では、苗載せ台５０の中央仕切部５５Ａとして、複数本の縦リブ部５６ａと、複数の横リブ部５６ｂとを備えた構造のものを例示したが、この構造に限られるものではない。
例えば、図１２に示したように、中央仕切部５５Ａとして、苗ステー３３の縦支持杆３３ｃを挿入した状態で取付可能なボス部５６ｄと、そのボス部５６ｄの周辺部から、左右の各側壁部５５Ａｂ，５５Ａｂ、及び上下の横リブ部５６ｂ，５６ｂに向かうように、ボス部５６ｄの軸線方向視（前後方向視に相当する）で放射方向に延出された放射状リブ部５６ｃとを備えるとともに、そのボス部５６ｄ及び放射状リブ部５６ｃと同様な補強リブ５６を、中央仕切部５５Ａ内の複数箇所に設けたものであっても良い。
その他の構成は、前述した実施形態と同様の構成を採用すればよい。
【産業上の利用可能性】
【００５８】
本発明の苗載せ台５０は、歩行型田植機に限らず、乗用型田植機の苗載せ台として採用することも可能である。
【符号の説明】
【００５９】
３１          苗縦送りベルト
３３          苗ステー
３３ａ        苗抑え杆部分
４０          苗植付機構
４３          植付爪
５０          苗載せ台
５２          延長苗載せ台
５３          苗載置部
５４          苗載置面
５５          仕切部
５５Ａ        中央仕切部
５５Ｂ        端部寄り仕切部
５６          補強リブ
５６ａ        縦リブ部
５６ｂ        横リブ部
５６ｄ        ボス部
５７          折れ曲がり上片部
５８          コーナーリブ
５９          位置決め金具
【図１】
2017099336.tif 000003
【図２】
2017099336.tif 000004
【図３】
2017099336.tif 000005
【図４】
2017099336.tif 000006
【図５】
2017099336.tif 000007
【図６】
2017099336.tif 000008
【図７】
2017099336.tif 000009
【図８】
2017099336.tif 000010
【図９】
2017099336.tif 000011
【図１０】
2017099336.tif 000012
【図１１】
2017099336.tif 000013
【図１２】
2017099336.tif 000014